(57)【特許請求の範囲】
【請求項１】
パチンコ玉放出路内に周縁の一部が突出して設けられた爪歯車を具備し、
前記爪歯車の回転によって、パチンコ玉を所定数前記放出路を落下させて放出するパチンコ玉放出装置において、
前記爪歯車には、爪歯車と同軸にウオームホイールが設けられ、
回転軸を有する駆動装置が設けられ、
該駆動装置の回転軸から回転力が与えられないように回転軸よりも大径に形成されて回転軸の軸線方向に貫通して回転軸が挿通される貫通穴が形成され、回転軸の軸線方向に移動可能な、前記ウオームホイールと噛合するウオームが設けられ、
前記回転軸と一体となって回転可能であり、クラッチ面がウオームの軸線方向の端面に所定の隙間をあけて対向して配置されるクラッチ板が設けられ、
爪歯車に前記放出路内を落下しようとするパチンコ玉の荷重がかかるとウオームはウオームホイールを介して上方に押し上げられ、ウオームの端面とクラッチ板のクラッチ面が当接して爪歯車の回転を阻むように設けられ、
所定の金額が投入されると、前記駆動装置へ駆動信号を出力して駆動装置を駆動させ、クラッチ板と接触するように押し上げられていたウオームをクラッチ板と共に回転させ、パチンコ玉の重量によって回転しようとしているウオームホイールを回転させることにより、パチンコ玉を放出路内を下降させるように制御する制御部が設けられ、
ウォームの回転を検出する回転検出手段が設けられ、
該制御部は、予め最低取引金額に相当するウオームの回転数が記憶されており、投入された金額に相当するウオームの回転数を算出して前記駆動装置を何回転させるべきかを設定し、前記回転検出手段からの回転検出信号によってウォームの回転数をカウントし、カウントした回転数が所定の金額に対応する回転数に達していなければ前記駆動装置の駆動を続行させ、カウントした回転数が所定の金額に対応する回転数に達していれば駆動装置を停止させるように制御することを特徴とするパチンコ玉放出装置。
【発明の詳細な説明】
【０００１】
【発明の属する技術分野】
本発明は、所定量のパチンコ玉を放出するパチンコ玉放出装置に関する。
【０００２】
【従来の技術】
パチンコ店で用いられている自動玉貸し装置は、所定の金額を投入すると投入された金額に相当する量のパチンコ玉が放出されて貸し出される。この自動玉貸し装置内部には、投入された金額に対応してパチンコ玉を計数して放出するパチンコ玉放出装置が設けられている。
図６に基づいて従来のパチンコ玉放出装置１０を説明する。
パチンコ玉放出装置１０は、上下方向に延び、パチンコ玉１１を下方に放出する放出路１５と、該放出路１５に隣接して設けられた爪歯車１２と、爪歯車１２と同軸に設けられた小歯車１６と、小歯車１６と噛合する大歯車１４と、レバー２２を駆動するソレノイド２０等を有している。
爪歯車１２の周縁部は放出路１５内に臨んでいる。また、爪歯車１２の周縁部には、振り子ブレーキ１３が常時当接するように設けられている。振り子ブレーキ１３は常時爪歯車１２の回転軸方向に付勢され、爪歯車１２が回転した際に、次々と落下するパチンコ玉１１によって爪歯車１２の回転速度が上がらないように爪歯車１２の周縁部を保持している。
【０００３】
大歯車１４の表面には、大歯車１４の表面の垂直方向に突出するリング状の突起１４ａが形成されている。また、突起１４ａには、一部が切欠られた係止凹部１４ｂが設けられ、レバー２２に設けられている係止凸部２２ａと係合可能に形成されている。
レバー２２は、一方の端部側に回動軸１８が設けられ、回動軸１８を中心にして回動可能であるが、スプリング２３によって常に上方に向かって付勢されている。このため、レバー２２の上面に形成された係止凸部２２ａは、常時は係合凹部１４ｂに入り込んで係合している。また、レバー２２の他方の端部側には上下方向に作動するソレノイド２０が連結されている。さらに、レバー２２の他方の端部先端近傍には、レバー２２の他方の端部側の上下動を検出するセンサー１９が設けられている。
また、大歯車１４が一回転する際に、パチンコ玉１１が爪歯車１２の周縁部に形成された爪部１２ａ間に入り込んで、パチンコ玉の最低取引金額に相当する量のパチンコ玉１１を通過させるように、大歯車１４と小歯車１６との歯車比が設定されている。
【０００４】
次に、従来のパチンコ玉放出装置１０の動作を説明する。
常時は、爪歯車１２の爪部１２ａにパチンコ玉１１が乗っているのでパチンコ玉１１の重量によってスプロケットホイール１２は矢印方向に回転しようとしている。しかし、小歯車１６と噛合している大歯車１４が、レバー２２の係止突部２２ａによって係止しているので爪歯車１２も回転せずに停止している。
所定の金額が投入されると、図示しない制御部が、ソレノイド２０に駆動信号を出力することによってソレノイド２０を矢印方向へ作動させる。これによってレバー２２が、スプリング２３の付勢力に逆らって下方に向けて回動する。すると、レバー２２上面に形成された係止凸部２２ａと大歯車１４の係止凹部１４ｂとの係合が解除され、大歯車１４はパチンコ玉１１の重量によって回転しようとする爪歯車１２の回転を妨げずに回転を開始する。
通路１５をパチンコ玉１１が通過し続け、大歯車１４が１回転すると、スプリング２３の付勢力によって、レバー２２上面に形成された係止凸部２２ａが再度大歯車１４の係止凹部１４ｂに入り込んで係合する。
するとセンサー１９は、レバー２２の上方への回動を検出し、検出信号を制御部に出力する。制御部では、投入された金額から、大歯車１４を何回転させるかを予め設定しており、センサー１９からの検出信号が入力されるとさらにソレノイド２０に駆動信号を出力するかどうかを判断し、既に放出したパチンコ玉が、放出すべき所定量に達していなければさらにソレノイド２０を作動させ、放出すべき所定量に達していればソレノイド２０を作動させずに放出を終了する。
【０００５】
【発明が解決しようとする課題】
上述したような従来のパチンコ玉放出装置では、大歯車１４が１回転する際に放出されるパチンコ玉１１の数が大歯車１４と小歯車１６の歯車比によって決定されているので、パチンコ玉１１の取引価格に変動が生じた場合、すなわち例えば１００円で２５個放出されていたものが１００円で２４個放出することになった場合には大歯車１４と小歯車１６の歯車比を変更するために、パチンコ玉放出装置全体を交換しなければならず、手間と費用がかかり過ぎるといった課題があった。
また、投入された金額に応じて所定量の何倍かのパチンコ玉を放出すべきときには大歯車１４を所定回数回転させることになるが、一回転する毎にレバー２２の係止凸部２２ａが大歯車１４の係止凹部１４ｂに入り込み、レバー２２を上方に回動させることによってセンサー１９を反応させて、現在の回転回数と後何回転するかといった判断を制御部が行わなくてはならず、スムーズにパチンコ玉１１の放出を行うことができないといった課題があった。
さらに、構造が複雑で、多数の部品が必要なため全体を大型化せざるを得ないといった課題があった。
【０００６】
したがって、本発明は上記課題を解決すべくなされ、その目的とするところは、パチンコ玉の取引価格に変動があった場合でも、放出すべき最低取引金額に相当するパチンコ玉の数量の変更を容易に行うことができ、また、パチンコ玉の放出がスムーズであって、小型化しうるパチンコ玉放出装置を提供することにある。
【０００７】
【課題を解決するための手段】
本発明は上記目的を達成するため次の構成を備える。すなわち、本発明に係るパチンコ玉放出装置によれば、パチンコ玉放出路内に周縁の一部が突出して設けられた爪歯車を具備し、前記爪歯車の回転によって、パチンコ玉を所定数前記放出路を落下させて放出するパチンコ玉放出装置において、前記爪歯車には、爪歯車と同軸にウオームホイールが設けられ、回転軸を有する駆動装置が設けられ、該駆動装置の回転軸から回転力が与えられないように回転軸よりも大径に形成されて回転軸の軸線方向に貫通して回転軸が挿通される貫通穴が形成され、回転軸の軸線方向に移動可能な、前記ウオームホイールと噛合するウオームが設けられ、前記回転軸と一体となって回転可能であり、クラッチ面がウオームの軸線方向の端面に所定の隙間をあけて対向して配置されるクラッチ板が設けられ、爪歯車に前記放出路内を落下しようとするパチンコ玉の荷重がかかるとウオームはウオームホイールを介して上方に押し上げられ、ウオームの端面とクラッチ板のクラッチ面が当接して爪歯車の回転を阻むように設けられ、所定の金額が投入されると、前記駆動装置へ駆動信号を出力して駆動装置を駆動させ、クラッチ板と接触するように押し上げられていたウオームをクラッチ板と共に回転させ、パチンコ玉の重量によって回転しようとしているウオームホイールを回転させることにより、パチンコ玉を放出路内を下降させるように制御する制御部が設けられ、ウォームの回転を検出する回転検出手段が設けられ、該制御部は、予め最低取引金額に相当するウオームの回転数が記憶されており、投入された金額に相当するウオームの回転数を算出して前記駆動装置を何回転させるべきかを設定し、前記回転検出手段からの回転検出信号によってウォームの回転数をカウントし、カウントした回転数が所定の金額に対応する回転数に達していなければ前記駆動装置の駆動を続行させ、カウントした回転数が所定の金額に対応する回転数に達していれば駆動装置を停止させるように制御することを特徴としている。
この構成を採用することによって、多数の部品を必要とせず、構成が簡単で小型のパチンコ玉放出装置を提供することができる。
また、パチンコ玉の落下の際の慣性力の制御を容易に行うことができ、パチンコ玉放出路へかかる負荷を軽減することができる。
さらに、パチンコ玉の取引金額に変更があった場合でも、制御部に記憶されているパチンコ玉の最低取引金額に相当する数量を放出させるためのウオームの回転数を変更するだけで、放出させるべきパチンコ玉の数量を変更することができる。
なお、放出路の下方で、例えば受け皿等によりパチンコ玉が詰まると、パチンコ玉は下方に存するパチンコ玉の上に次々と積み重なっていき、パチンコ玉からの荷重が爪歯車にはかからずに下方に存するパチンコ玉にかかる。このため、パチンコ玉の荷重によって持ち上げられていたウオームがクラッチ板との接触を解除し、ウオームは回転を停止する。このため、無理矢理パチンコ玉を押し出すように爪歯車が回転するようなことはなく、放出路にかかる負荷を軽減することができる。さらに、放出路内に放出すべきパチンコ玉がなくなった場合にも、爪歯車を押し下げる力がなくなるので、持ち上げられていたウオームがクラッチ板との接触を解除して回転を停止する。このため、パチンコ玉を放出していないにもかかわらずに放出したと判断してしまう誤放出を防ぐことができる。
【０００８】
【発明の実施の形態】
以下、本発明に係るパチンコ玉放出装置の好適な実施の形態を添付図面に基づいて詳細に説明する。
図１に本発明に係るパチンコ玉放出装置の正面図を、図２に側面図を示す。
パチンコ玉放出装置３０は、上下方向に延び、パチンコ玉１１が落下して放出される放出路１５を有している。
爪歯車３２は、基台３１に回転自在に取り付けられ、周縁の一部が放出路１５内に臨んでおり、回転することにより爪部３２ａ間に入り込んだパチンコ玉１１が１個づつ放出可能となっている。また、爪歯車３２には爪歯車３２と同軸にウオームホイール３８が固定されている。
【０００９】
３４はウオームであり、ウオームホイール３８と噛合している。ウオーム３４には内部を長手方向に貫通する貫通穴３４ａが形成されており、この貫通穴３４ａに、駆動装置としてのステッピングモータ３６の回転軸４０が挿通している。貫通穴３４ａの内径は回転軸４０よりも若干大径に形成されているので、ウオーム３４はステッピングモータ３６の回転軸４０からは回転力を受けず、また回転軸４０の長手方向へも移動可能である。
ステッピングモータ３６は、図２においてコの字状を成すベースシャーシ４４の下面に設けられており、図示しない制御部と接続している。
回転軸４０の上端は、軸受け４２によってベースシャーシ４４の上部に軸受けされている。この軸受け４２とウオーム３４との間にはクラッチ板４６が、回転軸４０と一体となって回転するように回転軸４０に固定されている。このクラッチ板４６のクラッチ面４６ａは下方に向けられており、ウオーム３４の軸線方向端面３４ｂに対向するように所定の間隙を設けて配され、クラッチ機構を形成している。
【００１０】
ウオーム３４の回転検出手段として２個の光センサー４８ａ、４８ｂが設けられている。光センサー４８ａ、４８ｂは、上下方向に光束が発射されるような発光部と受光部とを有する断面コの字状に形成されている。また、光センサー４８ａ、４８ｂは図示しない制御部と接続されている。
ウオーム３４には、ウオーム３４と共に回転し、光センサー４８ａ、４８ｂの発光部と受光部との間を通過するシャッター羽根５０が設けられており、ウオーム３４が１回転する毎にシャッター羽根５０が２個の光センサー４８ａ、４８ｂの光束を遮断してウオーム３４が回転しているかどうかを検出し、図示しない制御部へ検出信号を出力している。
なお、ウオーム３４の回転検出手段としては光センサーではなく、磁気センサーを用いてもよい。
【００１１】
また、図３に示すように、シャッター羽根５０の回転方向の幅は、２個の光センサー４８ａ、４８ｂ間の距離よりも狭いものを用いられている。このことによって、シャッター羽根５０が２個の光センサー４８ａ、４８ｂの両光束を同時に遮断することはなく、ステッピングモータ３６が駆動していないときに光センサー４８ａ、４８ｂの電源をオン−オフすれば、少なくともどちらかの光センサーの反応がなければ故障であるというチェックを行うことができる。
【００１２】
また、ウオーム３４には一条ネジが刻まれており、またそのネジ進み角は、ウオームホイール３８とウオーム３４を構成する材質によって決定される摩擦角よりも小さくなるように設定されている。
これにより、ステッピングモータ３６の非駆動時に、爪歯車３２の爪部３２ａ放出路１５内のパチンコ玉１１からの荷重がかかっても、ウオームホイール３８とウオーム３４間の摩擦力によりウオーム３４が回転することがなく、したがって爪歯車３２も回転せず、パチンコ玉１１が誤って放出されてしまうことはない。
なお、図示の場合、パチンコ玉１１からの荷重によりウオーム３４はウオームホイール３８を介して上方に押し上げられ、ウオーム３４の軸線方向端面３４ｂとクラッチ板４６のクラッチ面４６ａが当接することによる摩擦力も作用するが、このクラッチ機構がなくともウオームホイール３８とウオーム３４との間の摩擦力により本質的にパチンコ玉１１の放出は阻止される。
また、ウオーム３４と爪歯車３２との関係は、ウオーム３４が１回転すると、爪歯車３２の１つの爪ピッチに相当する角だけ爪歯車３２が回転してパチンコ玉１個が放出されるように設定されている。このことによって、ウオーム３４の回転数を検出することで所定数のパチンコ玉を計数することが容易に行えることができるようになった。また、ウオーム３４が所定の停止位置よりもずれて停止した場合であっても、ウオーム３４に比較して爪歯車３２の停止位置精度にそれほど影響せず、したがって、それほどウオーム３４の停止位置精度を上げなくても爪歯車３２のパチンコ玉１１の放出精度を維持することができる。
【００１３】
次に、図１、図２に示したパチンコ玉放出装置の動作について、図４の制御部の動作を示すフローチャートに基づいて用いて説明する。
所定の金額が投入されていない状態においては、制御部は作動しない。
しかし、このとき通路上方からパチンコ玉が爪歯車３２の爪部３２ａ間に入り込んで、パチンコ玉１１の重量によって爪歯車３２を回転させようとする力が生じている。
また、上述したようにウオーム３４のネジ進み角は、ウオームホイール３８とウオーム３４を構成する材質によって決定される摩擦角よりも小さいので、ウオーム３４は、爪歯車３２が回転しないように阻止し、さらに爪歯車３２にかかるパチンコ玉１１の重量によって上方へ持ち上げられる。上方に所定距離持ち上げられたウオーム３４の軸線方向端面３４ｂは、クラッチ板４６のクラッチ面４６ａと接触するので、ウオーム３４の上方への移動が停止する。
このように、所定の金額が投入されていない状態では、主としてウオームホイール３８とウオーム３４間の摩擦力、およびクラッチ機構によりパチンコ玉１１が下降して放出しないように確実に爪歯車３２の回転を停止させておくことができる。
【００１４】
次いで、所定の金額が投入された場合においての動作を説明する。
所定の金額が投入されると、制御部が作動し、制御部内のタイマーがクリアされ、ステッピングモータ３６へ駆動信号が出力される。
駆動信号が入力されたステッピングモータ３６は回転を開始する。すると、パチンコ玉１１の重量によってクラッチ板４６と接触するように持ち上げられているウオーム３４はクラッチ板４６と共に回転する。ウオーム３４が回転することによって、パチンコ玉１１の重量によって回転しようとしているウオームホイール３８もウオーム３４に容易に追従して比較的に小さな力で回転する。
このように、ウオーム３４が一旦回転し始めると、パチンコ玉１１は、ほとんど自らの重量によって爪歯車３２を回転させることができ、パチンコ玉１１は放出路１５内を下降することができる。
【００１５】
ウオーム３４の回転はシャッター羽根５０が２個の光センサー４８ａ、４８ｂの光束を遮断することによって検出される。
制御部には、予め最低取引金額に相当するウオーム３４の回転数が記憶されており、投入された金額に相当する回転数を、記憶されている回転数から算出して何回転させるべきか設定されている。
制御部は、２個の光センサー４８ａ、４８ｂからの回転検出信号の回数をカウントして、カウントした玉数が、上述した所定の金額に対応する回転数であるかどうかを判断する。カウントした玉数が、所定の金額に対応する回転数に達していなければステッピングモータ３６の駆動を続行させる。
また、カウントした玉数が、所定の金額に対応する回転数であれば、ステッピングモータ３６への駆動信号の出力を停止させる。このとき、パチンコ玉放出路１５内に突出する爪歯車３２の爪部３２ａの１つがほぼ水平に停止するようにステッピングモータ３６を停止させるようにする。このようにしてステッピングモータ３６が停止すると、クラッチ板４６も回転を停止するので、パチンコ玉１１の落下の慣性力によって回転しようとする爪歯車３２の回転を制動させてパチンコ玉１１の放出を終了させる。
【００１６】
次に、パチンコ玉１１の放出中に、放出路１５の下方にパチンコ玉１１が詰まってそれ以上パチンコ玉１１が下降できない状態になったときの動作について説明する。
放出路１５の下方で、例えば受け皿等によりパチンコ玉１１が詰まると、パチンコ玉１１は下方に存するパチンコ玉１１の上に次々と積み重なっていき、パチンコ玉１１からの荷重が爪歯車３２の爪部３２ａにはかからずに下方に存するパチンコ玉にかかる。このため、パチンコ玉１１の荷重によって持ち上げられていたウオーム３４がクラッチ板４６との接触を解除し、ウオーム３４は回転を停止する。
このため、無理矢理パチンコ玉１１を押し出すように爪歯車３２が回転するようなことはなく、パチンコ放出路１５にかかる負荷を軽減することができる。
【００１７】
さらに、放出路１５内に放出すべきパチンコ玉がなくなった場合にも、爪歯車３２の切欠部３２ａを押し下げる力がなくなるので、持ち上げられていたウオーム３４がクラッチ板４６との接触を解除して回転を停止する。
このため、パチンコ玉を放出していないにもかかわらずに放出したと判断してしまう誤放出を防ぐことができる。
【００１８】
上述したような、放出路１５の下方にパチンコ玉１１が詰まってそれ以上パチンコ玉１１が下降できない場合、および放出路１５内に放出すべきパチンコ玉がなくなった場合になった時には、制御部には一定時間内にどちらの光センサー４８ａ、４８ｂからの回転検出信号が入力されないので、まず制御部は光センサー４８ａ、４８ｂの電源を、一旦オフにして光センサー４８ａ、４８ｂの故障の有無を確認する。
確認は光センサー４８ａ、４８ｂの発光用電源を断続的に通電することによって行うことができる。もし、光センサー４８ａ、４８ｂのいずれかが故障であると判断されれば、トラブルとして全動作を停止する。
光センサー４８ａ、４８ｂが共に故障ではないと判断されたら、再び光センサー４８ａ、４８ｂの電源をオンにしてウオーム３４の回転の検出を行う。そして制御部は、制御部内のタイマーをオンにして、ステッピングモータ３６の停止中に定期的にステッピングモータ３６を１回転だけ回転させ、光センサー４８ａ、４８ｂからの回転検出信号を待つ。もし、光センサー４８ａ、４８ｂからの回転検出信号が制御部に入力されれば放出路１５の詰まりが解消されたか、もしくはパチンコ玉が供給されてウオーム３４が再び回転したということになり、放出すべきパチンコ玉の残量を放出するようにステッピングモータ３６の回転を再開する。また、光センサー４８からの回転検出信号が制御部に入力されなければ、未だ放出路１５が詰まっている状態とみなしてステッピングモータ３６の回転の停止を続行する。
【００１９】
なお、上述してきた実施例以外に、クラッチ機構を設けないようなパチンコ玉放出装置であっても好適である（図示せず）。この場合には、ウオームは、駆動装置の回転軸と一体に回転するように回転軸に固定され、移動不能に設けられている。このような構成によっても、部品点数の削減により小型化でき、またウオームの回転数を変更するだけで放出すべき最低取引金額に相当する数の変更を容易に行うことができる。
さらに、爪歯車の回転軸と同軸にウオームを設け、該ウオームに噛合するウオームホイールを駆動装置に回転させるように設けることにしてもよい（図示せず）。この構成によっても、部品点数の削減により小型化でき、またウオームホイールの回転数を変更するだけで放出すべき最低取引金額に相当する数の変更を容易に行うことができる。
【００２０】
続いて、図５に本発明に係るパチンコ玉放出装置の第２の実施例を示す。
図１、図２に示した実施例と共通の部分については同じ符号を付し、説明は省略する。
第２の実施例におけるパチンコ玉放出装置６０は、駆動装置であるモータをＤＣモータ６２とし、さらにこのＤＣモータ６２をウオーム３４の上方に位置するように設けている。
ＤＣモータ６２の回転軸６４にはギア６５が取り付けられており、ギア６５がシャフト６６に回転自在に取り付けられた減速ギア６７に噛合している。減速ギア６７はクラッチ板４６上に設けられ、クラッチ板４６はＤＣモータ６２の回転中は常に回転することができる。
また、シャフト６６はウオーム３４を貫通してベースシャーシ４４の下部においてシャフト固定ボス６８によって固定されている。
【００２１】
図５に示した第２の実施例の動作について簡単に説明する。
所定の金額が投入されていない状態においては、ＤＣモータ６２は作動していない。
しかし、このとき通路上方からパチンコ玉が爪歯車３２の爪部３２ａ間に入り込んで、パチンコ玉１１の重量によって爪歯車３２を回転させようとする力が生じている。
このとき、ウオーム３４とウオームホイール３８との間の摩擦力によって、ウオーム３４は、爪歯車３２が回転しないように阻止し、さらに爪歯車３２にかかるパチンコ玉１１の重量によって上方へ持ち上げられる。上方に所定距離持ち上げられたウオーム３４の軸線方向端面３４ｂは、クラッチ板４６のクラッチ面４６ａと接触するので、ウオーム３４の上方への移動が停止する。
このように、所定の金額が投入されていない状態では、主としてウオームホイール３８とウオーム３４間の摩擦力、およびクラッチ機構によりパチンコ玉１１が下降して放出しないように確実に爪歯車３２の回転を停止させておくことができる。
【００２２】
次いで、所定の金額が投入された場合においての動作を説明する。
所定の金額が投入されると、ＤＣモータ６２は回転を開始する。すると、変速ギア６７に伝達された回転によって、ウオーム３４はクラッチ板４６と共に回転する。ウオーム３４が回転することによって、パチンコ玉１１の重量によって回転しようとしているウオームホイール３８もウオーム３４に容易に追従して比較的に小さな力で回転する。
このように、ウオーム３４が一旦回転し始めると、パチンコ玉１１は、ほとんど自らの重量によって爪歯車３２を回転させることができ、パチンコ玉１１は放出路１５内を下降することができる。
この例のように駆動装置をクラッチ板４６の上方に設けることによって、ウオーム３４を貫通しているシャフト６６を全く回転させないことができるので、ウオーム３４が回転軸による回転振動によって誤って回転してしまうことを防ぐことができる。
【００２３】
なお、第２の実施例においても、図１、図２に示した実施例と同様にクラッチ機構を設けないようなパチンコ玉放出装置であっても好適である（図示せず）。この場合には、ウオームは、駆動装置の回転軸と一体に回転するように回転軸に固定され、移動不能に設けられている。このような構成によっても、部品点数の削減により小型化でき、またウオームの回転数を変更するだけで放出すべき最低取引金額に相当する数の変更を容易に行うことができる。
【００２４】
また、本発明に係るパチンコ玉放出装置において図１、図２に示す第１の実施例および図５に示す第２の実施例は、共にパチンコ玉貸し機において使用する場合において説明してきた。しかし、本発明に係るパチンコ玉放出装置は、パチンコ台内部に設置し、入賞した場合にパチンコ玉を放出する場合に用いても好適である。
また、モータを常に回転させておけば、パチンコ玉が爪歯車を回転させて放出路内を通過したときにウオームが回転するので、ウオームの回転数をカウントしておけばパチンコ玉計数機としても使用することができる。
さらに、上述してきた実施例で説明したように接触面が接離可能なクラッチ機構以外に、爪歯車に負荷がかかったりした際にクラッチ面が滑って駆動装置からの回転が完全に伝達されなくなるようなクラッチ機構であってもよい。
【００２５】
以上、本発明の好適な実施例について種々述べてきたが、本発明は上述する実施例に限定されるものではなく、発明の精神を逸脱しない範囲で多くの改変を施し得るのはもちろんである。
【００２６】
【発明の効果】
本発明に係るパチンコ玉放出装置によると、多数の部品を必要とせず、構成が簡単で小型であるため、狭い取り付けスペースであっても良好に取り付けることができる。
また、パチンコ玉の落下の際の慣性力の制御を容易に行うことができ、パチンコ玉放出路へかかる負荷を軽減することができる。
さらに、パチンコ玉の取引金額に変更があった場合でも、制御部に記憶されているパチンコ玉の最低取引金額に相当する数量を放出させるためのウオームの回転数を変更するだけで、放出させるべきパチンコ玉の数量を変更することができる。
なお、放出路の下方で、例えば受け皿等によりパチンコ玉が詰まると、パチンコ玉は下方に存するパチンコ玉の上に次々と積み重なっていき、パチンコ玉からの荷重が爪歯車にはかからずに下方に存するパチンコ玉にかかる。このため、パチンコ玉の荷重によって持ち上げられていたウオームがクラッチ板との接触を解除し、ウオームは回転を停止する。このため、無理矢理パチンコ玉を押し出すように爪歯車が回転するようなことはなく、放出路にかかる負荷を軽減することができる。さらに、放出路内に放出すべきパチンコ玉がなくなった場合にも、爪歯車を押し下げる力がなくなるので、持ち上げられていたウオームがクラッチ板との接触を解除して回転を停止する。このため、パチンコ玉を放出していないにもかかわらずに放出したと判断してしまう誤放出を防ぐことができる。
【図面の簡単な説明】
【図１】本発明に係るパチンコ玉放出装置の正面図である。
【図２】図１のパチンコ玉放出装置の側面図である。
【図３】光センサーとシャッター羽根の説明図である。
【図４】制御部の動作を示すフローチャートである。
【図５】本発明に係るパチンコ玉放出装置の第２の実施例の説明図である。
【図６】従来のパチンコ玉放出装置の説明図である。
【符号の説明】
３０  パチンコ玉放出装置
３１  基台
３２  爪歯車
３４  ウオーム
３４ａ  貫通穴
３４ｂ  軸線方向端面
３６  ステッピングモータ
３８  ウオームホイール
４０  回転軸
４２  軸受け
４４  ベースシャーシ
４６  クラッチ板
４６ａ  クラッチ面
４８ａ、４８ｂ  光センサー
５０  シャッター羽根
６０  第２の実施例によるパチンコ玉放出装置
６２  ＤＣモータ
６４  シャフト
６５  ギア
６６  シャフト
６７  減速ギア
６８  シャフト固定ボス
【図１】
0004181646.tif 000002
【図２】
0004181646.tif 000003
【図３】
0004181646.tif 000004
【図４】
0004181646.tif 000005
【図５】
0004181646.tif 000006
【図６】
0004181646.tif 000007